(57)【要約】      （修正有）【課題】イレーザ機能を備えるコレステリック液晶ライティング・ボードを提供する。【解決手段】コレステリック液晶ライティング・ボード１は、書込み跡を表示することができるとともに、コレステリック液晶装置１１３と、光検出アレイ層１２と、検出信号処理回路１３と、電圧制御回路１４とを備え、光検出アレイ層はアレイ配置される複数の光検出領域１２１を有しており、光検出領域における一つの光検出素子は光通過量の変化を検出するとともに検出信号を発生する。検出信号処理回路は受信した検出信号に基づき光検出素子の位置データを出力する。電圧制御回路は位置データを受信するとともにこれに基づいて電圧信号を位置データが対応する液晶制御領域に出力することで、一部の又は全部の液晶制御領域が対応するコレステリック液晶の状態を変化させて書込み跡を消去する。【選択図】図２Ｄ
2019168689.tif 000002
【特許請求の範囲】
【請求項１】
書込み跡を表示することができるコレステリック液晶ライティング・ボードであって、
コレステリック液晶層を有し、光入射面と、前記光入射面に対応する光出射面とを有し、且つ複数の液晶制御領域を有するコレステリック液晶装置と、
前記コレステリック液晶装置の前記光出射面の一方側に設けられており、アレイ配置される複数の光検出領域を有し、前記光検出領域における一つの光検出素子は光通過量の変化を検出するとともにこれに基づいて検出信号を発生し、このうち前記光検出領域は少なくとも一つ以上の前記液晶制御領域に対応している光検出アレイ層と、
前記光検出アレイ層に電気的に接続されて、前記検出信号を受信するとともにこれに基づき前記光検出アレイ層で前記光検出素子の位置データを出力する検出信号処理回路と、
前記位置データを受信するとともにこれに基づいて電圧信号を前記位置データが対応する液晶制御領域に出力することで、一部又は全部の前記複数の液晶制御領域が対応するコレステリック液晶の状態を変化させて、これにより一部分又は全部の前記書込み跡を消去する、前記検出信号処理回路及び前記コレステリック液晶装置にそれぞれ接続される電圧制御回路とを備える、ことを特徴とするコレステリック液晶ライティング・ボード。
【請求項２】
前記コレステリック液晶装置は、対向して設けられる第１の基板と第２の基板とを更に有しており、前記コレステリック液晶層は前記第１の基板と前記第２の基板との間に設けられており、前記コレステリック液晶装置は更に、前記コレステリック液晶層に向けるよう前記第１の基板の表面に設けられる第１の透明導電層を有しており、前記コレステリック液晶装置は更に、前記コレステリック液晶層に向けるよう前記第２の基板の側に設けられる第２の透明導電層を有する、請求項１に記載のコレステリック液晶ライティング・ボード。
【請求項３】
前記第１の透明導電層は第１の方向にて延在し且つ間隔を空けて設けられる複数の第１の電極を有し、前記第２の透明導電層は第２の方向にて延在し且つ間隔を空けて設けられる複数の第２の電極を有しており、前記第１の方向は前記第２の方向とは異なる、請求項２に記載のコレステリック液晶ライティング・ボード。
【請求項４】
前記光入射面を上面からの方向で見たとき、前記複数の第１の電極は前記複数の第２の電極と交差して設けられることで、前記複数の液晶制御領域に対応する、請求項３に記載のコレステリック液晶ライティング・ボード。
【請求項５】
前記電圧信号は前記位置データが対応する液晶制御領域の前記第１の電極及び前記第２の電極に印加されることで、前記一部又は全部の前記複数の液晶制御領域が対応するコレステリック液晶の状態を変化させる、請求項４に記載のコレステリック液晶ライティング・ボード。
【請求項６】
前記第２の透明導電層はアレイ配置される電極ブロックを有しており、前記複数の電極ブロックは前記複数の光検出領域に対応して設けられ、且つ前記複数の電極ブロックは前記第１の透明導電層に対応して前記複数の液晶制御領域を形成する、請求項２に記載のコレステリック液晶ライティング・ボード。
【請求項７】
前記電圧信号は前記書込み跡が対応する液晶制御領域の前記複数の電極ブロックに印加されることで、前記一部又は全部の前記複数の液晶制御領域が対応するコレステリック液晶の状態を変化させる、請求項６に記載のコレステリック液晶ライティング・ボード。
【請求項８】
前記第１の透明導電層又は前記第２の透明導電層は複数の電極ブロックを各々有しており、前記複数の電極ブロックは前記複数の液晶制御領域に対応して設けられる、請求項２に記載のコレステリック液晶ライティング・ボード。
【請求項９】
前記電圧信号は前記位置データが対応する液晶制御領域の前記複数の電極ブロックに印加されることで、前記一部又は全部の前記複数の液晶制御領域が対応するコレステリック液晶の状態を変化させる、請求項８に記載のコレステリック液晶ライティング・ボード。
【請求項１０】
前記コレステリック液晶装置は更に絶縁層を有しており、且つ前記複数の第２の透明導電層、前記絶縁層及び前記光検出アレイ層が前記コレステリック液晶層に向けるよう前記第２の基板の表面に順次積層される、請求項２に記載のコレステリック液晶ライティング・ボード。
【請求項１１】
前記光検出アレイ層は前記コレステリック液晶層に背けるよう前記第２の基板の表面に設けられる、請求項２に記載のコレステリック液晶ライティング・ボード。
【請求項１２】
前記光検出アレイ層は前記コレステリック液晶層に背けるよう前記第２の基板の側に設けられており、前記光検出アレイ層は第３の基板を更に有しており、且つアレイ配置される前記複数の光検出領域は前記第２の基板に向けるよう前記第３の基板の表面に設けられる、請求項２に記載のコレステリック液晶ライティング・ボード。
【請求項１３】
前記光検出アレイ層は更に、
交差設置により前記複数の光検出領域を画成する複数本のアップロード線及び複数本の読取り線を備えており、各々の前記光検出領域にはそれぞれスイッチング素子と前記の光検出素子が設けられており、前記スイッチング素子の一つの制御端は前記複数のアップロード線のうちの一つに接続されており、前記スイッチング素子の第１端は前記複数の読取り線のうちの一つに接続されており、前記スイッチング素子の第２端は前記光検出素子の一端に接続されており、前記光検出素子の他端は基準電圧に接続される、請求項１に記載のコレステリック液晶ライティング・ボード。
【請求項１４】
前記検出信号は、前記複数本のアップロード線が導通したときに前記検出信号処理回路に伝送される、請求項１３に記載のコレステリック液晶ライティング・ボード。
【請求項１５】
前記検出信号は、前記複数本のアップロード線が導通した後のブレークタイムに前記検出信号処理回路に伝送される、請求項１３に記載のコレステリック液晶ライティング・ボード。
【請求項１６】
光が前記コレステリック液晶装置の前記光入射面に照射されることで前記光通過量の変化が生じ、前記位置データは前記コレステリック液晶装置が前記光に照射されるときに対応する位置情報を含む、請求項１に記載のコレステリック液晶ライティング・ボード。
【請求項１７】
前記光は可視光又は非可視光である、請求項１６に記載のコレステリック液晶ライティング・ボード。
【発明の詳細な説明】
【技術分野】
【０００１】
本発明はコレステリック液晶ライティング・ボードに関し、特にイレーザ機能を備えるコレステリック液晶ライティング・ボードに関する。
【背景技術】
【０００２】
コレステリック液晶（Ｃｈｏｌｅｓｔｅｒｉｃ ｌｉｑｕｉｄ ｃｒｙｓｔａｌ）はネマティック型液晶中にカイラル分子（ｃｈｉｒａｌ ｄｏｐａｎｔ）を加えて、これにらせん状の配列構造を持たせるとともに、異なる印加電圧の状況にて反射又は透過となる二種類の異なる液晶分子配列状態を利用して異なる光透過率をもたらし、表示効果を達成するというものである。その原理とは、電圧を外部から印加する場合、低電圧及び高電圧をそれぞれ印加するとき、プレーナ状態（ｐｌａｎａｒ ｓｔａｔｅ）がそれぞれフォーカルコニック状態（ｆｏｃａｌ ｃｏｎｉｃ ｓｔａｔｅ）とホメオトロピック状態（ｈｏｍｅｏｔｒｏｐｉｃ ｓｔａｔｅ）に変換することができ、そしてプレーナ状態にあるとき、入射光が反射して色が現れるものであって、一方、フォーカルコニック状態にあるとき、入射光の大部分が透過して、一部が拡散して、ホメオトロピック状態にあるとき、入射光は完全に透過するというものである。
【０００３】
プレーナ状態及びフォーカルコニック状態はいずれも安定状態であって、電圧がオフとなって消失したときでも、なおも元の状態及び表示画面を維持するが、別の状態及び表示画面を変更するときのみに、電圧を印加する必要があるものであって、このような低消費電力及び可記憶性の特性を有することから、コレステリック液晶は電子ブックの最適な選択肢となっている。同時に、このような表示メカニズムは上下プレートのピッチの影響は小さく、双安定可撓性ディスプレイとして発展していく潜在力及び応用性を持っている。その他のタイプ、例えばＴＮ型液晶ディスプレイに比べて、コレステリック液晶ディスプレイは、省電力、カラー表示、調光可能性及び双安定可撓性ディスプレイに応用できる等の長所を備えて、応用は相当に広い。
【発明の概要】
【発明が解決しようとする課題】
【０００４】
本発明の目的は、イレーザ機能を備えるコレステリック液晶ライティング・ボードを提供する。本発明のコレステリック液晶ライティング・ボードはコレステリック液晶の特性を用いており、省電力効果を達成することができる以外に、更に一部を消すことができることから、これによりコレステリック液晶ライティング・ボードの授業又は会議上での応用を拡大する。
【課題を解決するための手段】
【０００５】
本発明では、書込み跡を表示することができるとともに、コレステリック液晶装置と、光検出アレイ層と、検出信号処理回路と、電圧制御回路とを備えるコレステリック液晶ライティング・ボードを提供する。コレステリック液晶装置は、コレステリック液晶層を有し、光入射面と、光入射面に対応する光出射面とを有し、且つ複数の液晶制御領域を有する。光検出アレイ層はコレステリック液晶装置の光出射面の一方側に設けられており、アレイ配置される複数の光検出領域を有し、光検出領域における一つの光検出素子は光通過量の変化を検出するとともにこれに基づいて検出信号を発生し、且つ光検出領域は少なくとも一つ以上の液晶制御領域に対応する。検出信号処理回路は光検出アレイ層に電気的に接続されて、検出信号を受信するとともにこれに基づき光検出アレイ層で光検出素子の位置データを出力する。電圧制御回路は検出信号処理回路及びコレステリック液晶装置にそれぞれ接続されており、位置データを受信するとともにこれに基づいて電圧信号を位置データが対応する液晶制御領域に出力することで、一部又は全部の前記複数の液晶制御領域が対応するコレステリック液晶の状態を変化させて、これにより一部分又は全部の前記書込み跡を消去する。
【０００６】
一つの実施例において、コレステリック液晶装置は、対向して設けられる第１の基板と第２の基板とを更に有しており、コレステリック液晶層は第１の基板と第２の基板との間に設けられており、コレステリック液晶装置は更に、コレステリック液晶層に向けるよう第１の基板の表面に設けられる第１の透明導電層を有しており、コレステリック液晶装置は更に、コレステリック液晶層に向けるよう第２の基板の側に設けられる第２の透明導電層を有する。
【０００７】
一つの実施例において、第１の透明導電層は第１の方向にて延在し且つ間隔を空けて設けられる複数の第１の電極を有し、第２の透明導電層は第２の方向にて延在し且つ間隔を空けて設けられる複数の第２の電極を有しており、第１の方向は第２の方向とは異なる。
【０００８】
一つの実施例において、光入射面を上面からの方向で見たとき、前記複数の第１の電極は前記複数の第２の電極と交差して設けられることで、前記複数の液晶制御領域に対応する。
【０００９】
一つの実施例において、電圧信号は位置データが対応する液晶制御領域の第１の電極及び第２の電極に印加されることで、前記一部又は全部の前記複数の液晶制御領域が対応するコレステリック液晶の状態を変化させる。
【００１０】
一つの実施例において、第２の透明導電層はアレイ配置される電極ブロックを有しており、前記複数の電極ブロックは前記複数の光検出領域に対応して設けられ、且つ前記複数の電極ブロックは第１の透明導電層に対応して前記複数の液晶制御領域を形成する。
【００１１】
一つの実施例において、電圧信号は位置データが対応する液晶制御領域の前記複数の電極ブロックに印加されることで、前記一部又は全部の前記複数の液晶制御領域が対応するコレステリック液晶の状態を変化させる。
【００１２】
一つの実施例において、第１の透明導電層又は第２の透明導電層は複数の電極ブロックを各々有しており、前記複数の電極ブロックは前記複数の液晶制御領域に対応して設けられる。
【００１３】
一つの実施例において、電圧信号は位置データが対応する液晶制御領域の前記複数の電極ブロックに印加されることで、前記一部又は全部の前記複数の液晶制御領域が対応するコレステリック液晶の状態を変化させる。
【００１４】
一つの実施例において、コレステリック液晶装置は絶縁層を更に備えており、且つ前記複数の第２の透明導電層、絶縁層及び光検出アレイ層がコレステリック液晶層に向けるよう第２の基板表面に順次積層される。
【００１５】
一つの実施例において、光検出アレイ層は、コレステリック液晶層に背けるよう第２の基板の表面に設けられる。
【００１６】
一つの実施例において、光検出アレイ層はコレステリック液晶層に背けるよう第２の基板の側に設けられており、光検出アレイ層は第３の基板を更に有しており、且つアレイ配置される前記複数の光検出領域は第２の基板に向けよう第３の基板の表面に設けられる。
【００１７】
一つの実施例において、光検出アレイ層は更に交差設置により複数の光検出領域を画成する複数本のアップロード線及び複数本の読取り線を備えており、各々の光検出領域にはそれぞれスイッチング素子と光検出素子が設けられており、スイッチング素子の一つの制御端は前記複数のアップロード線のうちの一つに接続されており、スイッチング素子の第１端は前記複数の読取り線のうちの一つに接続されており、スイッチング素子の第２端は光検出素子の一端に接続されており、光検出素子の他端は基準電圧に接続される。
【００１８】
一つの実施例において、位置データは前記複数のアップロード線が導通したときに電圧制御回路に伝送される。
【００１９】
一つの実施例において、位置データは前記複数のアップロード線が導通した後のブレークタイムに電圧制御回路に伝送される。
【００２０】
一つの実施例において、光がコレステリック液晶装置の光入射面に照射されることで光通過量の変化が生じ、位置データはコレステリック液晶装置が光に照射されるときに対応する位置情報を含む。
【００２１】
一つの実施例において、光は可視光又は非可視光である。
【発明の効果】
【００２２】
上記によって、本発明のコレステリック液晶ライティング・ボードにおいて、コレステリック液晶装置は複数の液晶制御領域を備えており、そしてアレイ配置される複数の光検出領域を含む光検出アレイ層がコレステリック液晶装置の光出射面の一方側に設けられる。光検出領域における一つの光検出素子は光通過量の変化を検出するとともにこれに基づいて検出信号を発生し、且つ光検出領域は少なくとも一つ以上の液晶制御領域に対応する。検出信号処理回路はこの検出信号を受信するとともにこれに基づき光検出アレイ層で光検出素子の位置データを出力する。電圧制御回路はこの位置データを受信するとともにこれに基づいて電圧信号を位置データが対応する液晶制御領域に出力することで、一部の又は全部の前記複数の液晶制御領域が対応するコレステリック液晶の状態を変化させて、これにより一部分又は全部の書込み跡を消去する。これにより、本発明のコレステリック液晶ライティング・ボードはコレステリック液晶の特性を用いており、省電力効果を達成することができる以外に、更に一部を消すことができることから、これによりコレステリック液晶ライティング・ボードの授業又は会議上での応用を拡大する。
【図面の簡単な説明】
【００２３】
【図１Ａ】本発明のコレステリック液晶ライティング・ボードの実施例の応用概略図である。
【図１Ｂ】図１Ａに示す書込み跡の一部拡大概略図である。
【図１Ｃ】図１Ｂに示す書込み跡が一部消去されたときの状態概略図である。
【図２Ａ】本発明のコレステリック液晶ライティング・ボードの実施例の一部立体分解概略図である。
【図２Ｂ】本発明のコレステリック液晶ライティング・ボードの実施例の一部立体概略図である。
【図２Ｃ】図２Ｂに示すコレステリック液晶ライティング・ボードの第１の透明導電層と第２の透明導電層との平面概略図である。
【図２Ｄ】図１に示すコレステリック液晶ライティング・ボードの概略図である。
【図２Ｅ】図２Ｄ示すコレステリック液晶ライティング・ボードの光検出アレイ層の光検出領域の回路概略図である。
【図３Ａ】本発明のコレステリック液晶ライティング・ボードの液晶制御領域と光検出領域の実施例の対応概略図である。
【図３Ｂ】本発明のコレステリック液晶ライティング・ボードの液晶制御領域と光検出領域の他の実施例の対応概略図である。
【図３Ｃ】本発明のコレステリック液晶ライティング・ボードの液晶制御領域と光検出領域の更に他の実施例の対応概略図である。
【図３Ｄ】本発明のコレステリック液晶ライティング・ボードの第２の透明導電層の他の実施例の概略図である。
【図３Ｅ】本発明のコレステリック液晶ライティング・ボードの第１の透明導電層と第２の透明導電層の他の実施例の概略図である。
【図４Ａ】本発明のコレステリック液晶ライティング・ボードの異なる実施例の構造概略図である。
【図４Ｂ】本発明のコレステリック液晶ライティング・ボードの異なる実施例の構造概略図である。
【図４Ｃ】本発明のコレステリック液晶ライティング・ボードの異なる実施例の構造概略図である。
【図４Ｄ】本発明のコレステリック液晶ライティング・ボードの異なる実施例の構造概略図である。
【発明を実施するための形態】
【００２４】
以下にて関連する図面を参照して、本発明が提供する各種実施例のコレステリック液晶ライティング・ボードを説明する。このうち同じ構成要素は同じ参考記号で説明する。
【実施例】
【００２５】
説明すべきは、本発明の各実施例における全ての方向的な指示（例えば、上、下、左、右、前、後……）はある特定の姿勢（別紙の各図面に示す）での各部材の間の相対的位置関係、運動状況等を解釈するのに用いるのみであって、もしこの特定の姿勢が変化したとき、この方向的な指示もまた対応して変化する。
【００２６】
本発明における各実施例で提供するコレステリック液晶ライティング・ボードはその書込み面上に文字又は画像を書き込むことができるものであって、例えば携帯電話機、タブレット端末又は電子白板、又はその他画像を表示可能な表示装置に応用することができるが、これらに限定されないうえ、一部のイレーザ機能を行うことで、コレステリック液晶ライティング・ボード上の一部又は全部の書込み跡を消去することができる。
【００２７】
以下の実施例のコレステリック液晶ライティング・ボードは会議又は授業等の筆記システムの大サイズ電子黒板（又は白板）に応用するものを例としているが、本発明はこれに限定されない。本発明における各実施例で提供するコレステリック液晶ライティング・ボードはコレステリック液晶の特性を利用しているため、双安定（ｂｉｓｔａｂｌｅ）表示設備であって、コレステリック液晶ライティング・ボードに画像又は画面が表示されているとき、別途電源を入力する必要はなく、この画像又は画面は常に保留されるものであって、別の状態又は表示画面に変更するときのみに別途電源を入力する必要があるため、かなり省電力となる電子装置である。
【００２８】
図１Ａは本発明のコレステリック液晶ライティング・ボードの実施例の応用概略図である。図１Ｂは図１Ａに示す書込み跡の一部拡大概略図である。図１Ｃは図１Ｂに示す書込み跡が一部消去されたときの状態概略図である。図２Ａは本発明のコレステリック液晶ライティング・ボードの実施例の一部立体分解概略図である。図２Ｂは本発明のコレステリック液晶ライティング・ボードの実施例の一部立体概略図である。図２Ｃは図２Ｂに示すコレステリック液晶ライティング・ボードの第１の透明導電層と第２の透明導電層との平面概略図である。図２Ｄは図１に示すコレステリック液晶ライティング・ボードの概略図である。そして図２Ｅは図２Ｄ示すコレステリック液晶ライティング・ボードの光検出アレイ層の光検出領域の回路概略図である。
【００２９】
図１、図２Ａないし図２Ｄに示すように、コレステリック液晶ライティング・ボード１はコレステリック液晶装置１１と、光検出アレイ層１２と、検出信号処理回路１３と、電圧制御回路１４とを備える。コレステリック液晶ライティング・ボード１は書込み跡Ｓを表示することができる。コレステリック液晶装置１１は、光入射面Ａ１と、光入射面Ａ１に対向する光出射面Ａ２とを有し、しかもコレステリック液晶装置１１は複数の液晶制御領域１１８を有する（図２Ｃ及び図２Ｄ）。本実施例の光入射面Ａ１はつまりコレステリック液晶ライティング・ボード１の使用者に向いた表面であり、書込み面又は表示面とも呼ばれ、使用者はその上に書き込むことで書込み跡を発生させることができる。一部実施例において、光入射面Ａ１上に保護膜層又は保護基材を更に設けることで、コレステリック液晶ライティング・ボード１を保護することができる。
【００３０】
コレステリック液晶装置１１は対応して一つの色を表示することができる。具体的に言えば、コレステリック液晶装置１１は異なる含量のカイラル分子を添加することで、赤（Ｒ）、緑（Ｇ）又は青（Ｂ）等の色を調合することができる。ここで、コレステリック液晶装置１１が対応して表示する色は、例えば赤、緑、青のうちの一つ、又はその他可視光の色から選ぶことができるが、これらに限定されない。コレステリック液晶はネマティック型液晶中にカイラル分子を加えて特殊配列構造を達成するとともに、コレステリック液晶分子が異なる電圧差、物理的圧力及び／又は温度の状況にて少なくともフォーカルコニック状態（Ｆｏｃａｌ ｃｏｎｉｃ ｓｔａｔｅ）、プレーナ状態（ｐｌａｎａｒ ｓｔａｔｅ）及びホメオトロピック状態（ｈｏｍｅｏｔｒｏｐｉｃ ｓｔａｔｅ）等の複数の異なる安定状態又は一時状態を表現することができることを利用して、表示又は消去効果を達成する。よって、コレステリック液晶のらせん構造の軸方向に変化が生じて、これにより光の一部を反射する、及び／又は光の一部をコレステリック液晶を透過させることができる。つまり、コレステリック液晶分子が異なる安定状態又は一時状態にて有する異なる光反射率又は透過率により、コレステリック液晶装置１１の表示、書込み又はイレーザ機能を達成することができる。
【００３１】
光検出アレイ層１２はコレステリック液晶装置１１の光出射面Ａ２の一方側に設けられる。光検出アレイ層１２はアレイ配置される複数の光検出領域１２１又は光検出素子１２１１を有することができ、一つの光検出領域１２１又は光検出素子１２１１は少なくとも一つ又は複数の液晶制御領域１１８に対応することができる。図２Ｄに示すように、本実施例は光検出領域１２１が一つの液晶制御領域１１８に対応しているものを例としている。このうち、光検出領域１２１における一つ又は複数の光検出素子１２１１は光通過量の変化を検出するとともにこれに基づいて検出信号Ｓｓを発生することができる。検出信号処理回路１３が光検出アレイ層１２に電気的に接続されており、前記した状況が発生したとき、この検出信号Ｓｓを受信するとともにこれに基づいて光検出アレイ層１２で光検出素子１２１の位置データＣｓを出力する。電圧制御回路１４はそれぞれ検出信号処理回路１３とコレステリック液晶装置１１に接続されており、電圧制御回路１４は検出信号処理回路１３が光通過量の変化により発生した位置データＣｓを受信するとともに、これに基づいて電圧信号Ｄｓを書込み跡Ｓが対応する液晶制御領域１１８に出力することで、一部の又は全部の前記複数の液晶制御領域１１８が対応するコレステリック液晶の状態を変化させて、これにより一部分又は全部の書込み跡Ｓを消去する。具体的に言えば、光Ｌがコレステリック液晶装置１１に照射され、且つ光検出アレイ層１２が光通過量の変化により発生した検出信号Ｓｓを検出したとき、光検出領域１２１は光検出アレイ層１２における位置を得て、ひいてはコレステリック液晶装置１１の照射領域Ｐで光Ｌの位置を得ることができる。続いて、更に電圧制御回路１４を用いて、照射領域Ｐにおける対応する一部又は全部の液晶制御領域１１８が対応するコレステリック液晶分子の状態変化を行うように制御して、照射領域Ｐにおける書込み跡Ｓを消去することができる。
【００３２】
以下、まずコレステリック液晶装置１１の構造を説明する。ここで、図２Ｄに示すものは図２Ｃの第１の透明導電層１１４と第２の透明導電層１１５との直線Ａ−Ａでのコレステリック液晶装置１１の断面概略図である。図２Ｂないし図２Ｄに示すように、コレステリック液晶装置１１は、第１基板１１１と、第２の基板１１２と、コレステリック液晶層１１３とを有することができる。第１の基板１１１は第２基板１１２と対向して設けられており、そしてコレステリック液晶層１１３は複数のコレステリック液晶分子（図示せず）を有しており、第１の基板１１１と第２の基板１１２との間に充填することができる。コレステリック液晶装置１１は、コレステリック液晶層１１３に向けるよう第１の基板１１１表面上に設けられる第１の透明導電層１１４を更に有する。コレステリック液晶装置１１は、コレステリック液晶層１１３に向けるよう第２の基板１１２側に設けられる第２の透明導電層１１５を更に有する。
【００３３】
図２Ｂ及び図２Ｃに示すように、本実施例の第１の透明導電層１１４は第１の方向Ｄ１にて延在し且つ間隔を空けて設けられる複数の第１の電極１１４１を有し、そして第２の透明導電層１１５は第２の方向Ｄ２にて延在し且つ間隔を空けて設けられる複数の第２の電極１１５１を有しており、第１の方向Ｄ１は第２の方向Ｄ２とは異なる。ここで、第１の方向Ｄ１と第２の方向Ｄ２とで９０度であるが、これに限定されない一つの角度を形成することができる。よって、光入射面Ａ１を上面からの方向で見たとき、前記複数の第１の電極１１４１は前記複数の第２の電極１１５１と交差して設けられることで、前記複数の液晶制御領域１１８に対応する。ここで、第１の電極１１４１と第２の電極１１５１との交差箇所にて対応するコレステリック液晶分子は液晶制御領域１１８を形成することができ（図２Ｄを合わせて参照することができる）、且つ一つの液晶制御領域１１８は一つの光検出領域１２１に対応することができる（図面の簡素化のために、図２Ｃには光検出領域１２１を図示しない）。又は、異なる実施例において、図３Ａに示すように、複数（例えば４個）の液晶制御領域１１８が一つの光検出領域１２１に対応してもよい。また、又は、図３Ｂに示すように、縦行上にて液晶制御領域１１８の二個毎に一つの光検出領域１２１が対応する。更にまた、又は、図３Ｃに示すように、横列上にて液晶制御領域１１８の二個毎に一つの光検出領域１２１が対応する。しかしながら、一つの光検出領域１２１が対応する液晶制御領域１１８の個数及び両者の互いの配列方式は、実際の必要性に応じて調整するものであって、本発明では限定しない。
【００３４】
再度図２Ｃ及び図２Ｄを参照されたい。電圧制御回路１４により第１の電極１１４１と第２の電極１１５１との間の電圧差を制御することで、交差箇所の対応するコレステリック液晶分子の配列状態を制御して、これによりコレステリック液晶の状態変化を制御することができる。また、コレステリック液晶装置１１は封止層（図示せず）を更に有しており、封止層は第１の基板１１１と第２の基板１１２との間に設けられるとともに、第１の基板１１１及び第２の基板１１２の外周を封止して、第１の基板１１１と第２の基板１１２との間にギャップを持たせている。第１の基板１１１及び第２の基板１１２と封止層とで収容空間を形成することで、コレステリック液晶分子を収容空間中に充填して、コレステリック液晶層１１３を形成することができる。言及すべきは、本実施例におけるコレステリック液晶装置１１の光入射面Ａ１とはコレステリック液晶層１１３に背けるよう第１の基板１１１の上面のことであり、一方、光出射面Ａ２とはコレステリック液晶層１１３に背けるよう第２の基板１１２の下面のことであり、又は、光入射面Ａ１は第１の基板１１１に向けるようコレステリック液晶層１１３の上面とすることができ、そして光出射面Ａ２は第２の基板１１２に向けるようコレステリック液晶層１１３の下面とすることができ、又はそのいずれかの組合わせとすることができるが、本発明はこれらに限定されない、ということである。
【００３５】
本実施例において、第１の基板１１１及び第２の基板１１２は各々独立して透光性基材を有し、且つ軟質透光性基材又は硬質透光性基材とすることができる。軟質透光性基材の材料は例えばポリイミド（Ｐｏｌｙｉｍｉｄｅ, ＰＩ）、ポリカーボネート（Ｐｏｌｙｃａｒｂｏｎａｔｅ, ＰＣ）又はポリエチレンテレフタレート（Ｐｏｌｙｅｔｈｙｌｅｎｅ Ｔｅｒｅｐｈｔｈａｌａｔｅ, ＰＥＴ）であるが、これらに限定されない。硬質透光性基材の材料は例えばガラス、石英又はサファイヤであるが、これらに限定されない。もし第１の基板１１１及び第２の基板１１２のいずれもが軟質透光性基材を採用するとき、軟質透光性基材は可撓性を有することから、コレステリック液晶ライティング・ボード１を曲面ディスプレイとして製作することができる。また、第１の透明導電層１１４及び第２の透明導電層１１５は例えば酸化インジウムスズ（Ｉｎｄｉｕｍ Ｔｉｎ Ｏｘｉｄｅ，ＩＴＯ）又は酸化インジウム亜鉛（Ｉｎｄｉｕｍ Ｚｉｎｃ Ｏｘｉｄｅ，ＩＺＯ）であるが、これらに限定されない。
【００３６】
以下、本実施のコレステリック液晶ライティング・ボード１の光検出アレイ層１２の回路構造を説明する。
【００３７】
図２Ｅを参照されたい。本実施例において、光検出アレイ層１２は複数本のアップロード線ＵＰｎと複数本の読取り線Ｒｍ、Ｒｍ+１を更に有しており、アップロード線ＵＰｎと読取り線Ｒｍ、Ｒｍ+１との交差設置により、複数の光検出領域１２１を画成する。そして検出信号処理回路１３は光検出アレイ層１２に電気的に接続される。ここで、図２Ｅは隣接する二つの光検出領域１２１を示す回路概略図である。
【００３８】
図２Ｅにおいて、各々の光検出領域１２１は、それぞれ一つの光検出素子１２１１と、一つのスイッチング素子１２１２とが設けられることができる。スイッチング素子１２１２の制御端はアップロード線ＵＰｎのうちの一つに接続される。スイッチング素子１２１２の第１端は読取り線Ｒｍ、Ｒｍ+１のうちの一つに接続される。スイッチング素子１２１２の第２端は光検出素子１２１１の一端に接続され、そして光検出素子１２１１の他端は基準電圧Ｖｒｅｆに接続される。このうち、基準電圧Ｖｒｅｆは必要性に応じて、例えば共通電圧（Ｖｃｏｍ）、ゲート電圧（ＶＧａｔｅ）又は接地電圧（Ｖｇｎｄ）等とすることができるが、これらに限定されない。スイッチング素子１２１２及び光検出素子１２１１は読取り線Ｒｍ、Ｒｍ+１を介して検出信号処理回路１３に接続される。ここで、スイッチング素子１２１２は例えば薄膜トランジスタとすることができ、そして光検出素子１２１１はスイッチング素子１２１２と同じ製造工程及び材料で製作することで、コストを削減することができる。そして検出信号処理回路１３は例えば集積回路又はマイクロチップ等の方式で実現することができるが、これに限定されない。検出信号処理回路１３は、光検出素子１２１１が受光又は受光しない、又は受光程度の相違により生じる光通過量の変化により、異なる光電流を得ることで検知を行う。
【００３９】
具体的には、図２Ｅ左側のスイッチング素子１２１２を例とすると、スイッチング素子１２１２（薄膜トランジスタ）のゲートはアップロード線ＵＰｎに接続され、その第１端（ソース）が読取り線Ｒｍに接続され、第２端（ドレイン）が光検出素子１２１１の一端に接続され、且つ光検出素子１２１１の他端は共通電極（Ｖｃｏｍ）に接続することができ、例えば接地することができる。よって、アップロード線ＵＰｎの信号がスイッチング素子１２１２をオンにすると、検出信号処理回路１３が読取り線Ｒｍによりスイッチング素子１２１２を介して光検出素子１２１１の光通過量の変化により発生した検出信号Ｓｓを受信するとともに、前記した受信した検出信号Ｓｓに基づいて光検出アレイ層１２で光検出素子１２１１の位置データＣｓを出力することができ、この位置データＣｓはコレステリック液晶装置１１で光Ｌが照射された領域における光検出素子１２１１の位置（又は座標）情報を含む。
【００４０】
以下、コレステリック液晶装置１１にて光通過量が変化したとき、コレステリック液晶ライティング・ボード１が光通過量の変化が発生した位置をどのように知り、ひいてはコレステリック液晶装置１１で光Ｌの照射位置を得るかということを引き続き説明する。
【００４１】
再度図１Ａないし図１Ｃ及び図２Ａないし図２Ｅを参照されたい。本実施例のコレステリック液晶ライティング・ボード１において、使用者はコレステリック液晶ライティング・ボード１上に文字又は図形を書き込むことでコレステリック液晶装置１１上にて圧力により対応する部分の液晶制御領域１１８におけるコレステリック液晶がプレーナ状態となって書込み跡Ｓ（図１Ａにおける「ＬＯＧＯ」図案）が発生したとき、書込み跡Ｓはコレステリック液晶装置１１が対応する色（例えば緑）を表す。つまり、このとき書込み跡Ｓが対応する液晶制御領域１１８におけるコレステリック液晶がプレーナ状態となる。しかも、図１Ａ、図１Ｂ及び図２Ｄに示すように、書込み跡Ｓが対応する箇所の光検出領域１２１における光検出素子１２１１は、外部（環境）光が順次第１の基板１１１及びコレステリック液晶層１１３を透過して光検出アレイ層１２に入射する光通過量を検出することで、第１の光通過量を得ることができる。再度図１Ｃ及び図２Ｄを参照されたい。使用者が一部分又は全部の書込み跡Ｓを消去（除去又は消す）したいとき、光Ｌを書込み跡Ｓの消去したい部分（図１Ｃ及び図２Ｄの照射領域Ｐ）に照射することができる。照射領域Ｐは消去したい部分以上とすることができるものであって、本実施例では、照射領域Ｐ（図１Ｃにおける破線で囲んだ部分）が消去した部分（図１Ｃにおける「０」下半分が白塗りされている部分）よりも大きい例で説明する。光Ｌの強度は環境光の強度よりも高いのが好ましく、そして光Ｌの波長は可視光線波長部分（例えば赤、青、又は緑色光）又は非可視光波長部分（例えば近赤外光、遠赤外光、又は紫外光）にある。光Ｌをコレステリック液晶装置１１の光入射面Ａ１（図１Ｃ及び図２Ｄの照射領域Ｐ）に照射したときでも同様に第１の基板１１１とコレステリック液晶層１１３を透過して光検出アレイ層１２に入射する。このとき、光Ｌが照射領域Ｐ下方の対応する光検出領域１２１における光検出素子１２１１’に照射されると、この光Ｌがその上に入射した光通過量を検出して、これに基づいて第２の光通過量を得ることができる。そして第１の光通過量と第２の光通過量との差はつまりこの光検出領域１２１中の光検出素子１２１１’が検出した光通過量変化である。本実施例において、光検出素子１２１１’が検出した第２の光通過量は第１の光通過量よりも大きいため、前記複数の光検出領域１２１における（一つ又は複数の）光検出素子１２１１’が検出した光通過量がプラスとなる。しかしながら、光Ｌの照射を受けていない光検出素子１２１１が検出した光通過量変化は０となる（つまりこの検出した第２の光通過量は第１の光通過量に等しい）。これにより、読取り線Ｒｍ、Ｒｍ+１に接続される検出信号処理回路１３は、読取り線Ｒｍ、Ｒｍ+１を介して、各光検出素子１２１１及び１２１１’により異なる強度の光通過量を検出したことにより発生した異なる電圧値に対応する電気信号（つまり、「検出信号Ｓｓ」）を受信（又は「読取る」）することができる。検出信号処理回路１３がこの検出信号Ｓｓを受信したとき、どの一つ又はどれらの光検出素子１２１１’が送出した検出信号であるかを知ることができる。そして検出信号処理回路１３は���の検出信号Ｓｓに基づいて、この光通過量変化を検出した光検出素子１２１１’（図２Ｄにおける２個の光検出素子１２１１’を例とする）が、光検出アレイ層１２における所在位置（例えばこれは光検出アレイ層１２中の第何行第何列に位置する光検出素子１２１１’である）を表す又は対応する位置データＣｓを電圧制御回路１４に出力することができ、電圧制御回路１４は光検出アレイ層１２で光通過量が変化した光検出素子１２１１’（一つ又は複数）の位置データＣｓを知ることができ、この位置データＣｓは光Ｌがコレステリック液晶装置１１の入射面Ａ１に照射する照射領域Ｐにおける光検出素子１２１１’の位置に対応又は表しており、そして電圧制御回路１４は検出信号処理回路１３が光通過量の変化により発生した位置データＣｓを受信した後、出力した電圧信号Ｄｓを照射領域Ｐが対応する液晶制御領域１１８’（図２Ｄにおける２個の液晶制御領域１１８’を例とする）の第１の電極１１４１及び第２の電極１１５１’に印加して、第１の電極１１４１と第２の電極１１５１’との間のコレステリック液晶分子が元のプレーナ状態からフォーカルコニック状態に状態変化して、光をコレステリック液晶層１１３を透過させることで、コレステリック液晶装置１１のベース色を表し、これに基づいてコレステリック液晶ライティング・ボード１上で光Ｌが照射した一部分又は全部の書込み跡Ｓを消去することができる。
【００４２】
また、読取り線Ｒｍ、Ｒｍ+１により読み出した検出信号Ｓｓは、前記複数のアップロード線ＵＰｎが導通時に電圧制御回路１４に伝送することができる。又は、読取り線Ｒｍ、Ｒｍ+１により読み出した検出信号Ｓｓは、前記複数のアップロード線ＵＰｎが導通した後のブレークタイム（ｂｌａｎｋｉｎｇ ｔｉｍｅ）に電圧制御回路１４に伝送することができる。具体的に言えば、前記複数アップロード線ＵＰｎが順次導通したと同時に、読取った検出信号Ｓｓをリアルタイムに電圧制御回路１４に伝送することができる。又は、すべてのアップロード線ＵＰｎが順次導通完了後に次に導通するためのブレークタイムに再度全ての検出信号Ｓｓを電圧制御回路１４に伝送（リアルタイムではない）してもよいが、本発明はこれに限定されない。
【００４３】
異なる実施例において（同様に図２Ｄで説明する）、第１の透明導電層１１４は全体面の電極とすることができ、しかもコレステリック液晶層１１３に向けるよう第１の基板１１１の表面上に全面的に設けられるものであって、第２の透明導電層１１５はアレイ配置される電極ブロック（１１５１と標示する）を有することができ、前記複数の電極ブロック１１５１はアレイ配置される複数の光検出領域１２１又は複数の光検出素子１２１１に対応してそれぞれ設けられ、しかも前記複数の電極ブロック１１５１は第１の透明導電層１１４に対応して複数の液晶制御領域を形成することができる。ここで、「全面的」というのは、第１の透明導電層１１４が全体面の共通電極を含み、この共通電極はコレステリック液晶層１１３に向けるよう第１の基板１１１の大部分の表面上に全面的に敷設されるというものであり、そして第２の透明導電層１１５の一つの電極ブロック１１５１は一つの画素電極に対応するとともに、第１の透明導電層１１４と対応して一つの液晶制御領域を形成することができる。よって、電圧信号Ｄｓは書込み跡Ｓが対応する液晶制御領域１１８の前記複数の電極ブロック１１５１（画素電極）及び第１の透明導電層１１４に印加して、前記複数の液晶制御領域１１８が対応するコレステリック液晶は元のプレーナ状態からフォーカルコニック状態に状態変化して、コレステリック液晶ライティング・ボード１上の光Ｌが照射された一部分又は全部の書込み跡Ｓを消去することができる。
【００４４】
又は、異なる実施例において、本発明のコレステリック液晶ライティング・ボードの第２の導電層の他の実施例概略図である図３Ｄに示す通りである。第１の透明導電層１１４又は第２の透明導電層１１５は複数の電極ブロック１１５１を有することができ、前記複数の電極ブロック１１５１は前記複数の液晶制御領域１１８に対応して設けられており、そして電圧信号Ｄｓは書込み跡Ｓが対応する液晶制御領域１１８の前記複数の電極ブロック１１５１に印加して、前記複数の液晶制御領域１１８が対応するコレステリック液晶は元のプレーナ状態からフォーカルコニック状態に状態変化して、コレステリック液晶ライティング・ボード１上の光Ｌが照射された一部分又は全部の書込み跡Ｓを消去することができる。本実施例において、第２の透明導電層１１５がアレイ配置される複数の電極ブロック１１５１を有するものを例としており、前記複数の電極ブロック１１５１はアレイ配置される複数の光検出領域１２１又は複数の光検出素子１２１１に対応してそれぞれ設けられ、しかも前記複数の電極ブロック１１５１は第１の透明導電層１１４に対応して複数の液晶制御領域を形成することができる。ここで、電極ブロック１１５１は多辺形（例えば四角形）、円形、楕円形又はその他形状とすることができるが、限定されない。又は、その他実施例において、第１の透明導電層１１４は複数の電極ブロック１１４１を有し、第２の透明導電層１１５は全体面の共通電極を含んでもよい。更に又は、図３Ｅに示すように、第１の透明導電層１１４及び第２の透明導電層１１５は、互いに対応して設けられる複数の電極ブロック１１４１及び１１５１を各々独立して有し、各電極ブロック１１４１及び１１５１は液晶制御領域１１８を対応して形成する。図３Ｅにおいては電極ブロック１１４１及び１１５１は「７セグメント表示ブロック」として対応して配列したものを例としており、各々の液晶制御領域１１８には一つの光検出領域１２１が対応して設けられる。上記したように、電極ブロックの個数、設置位置及び形状は、実際の必要性に応じて調整することができ、本発明では限定されない。
【００４５】
再度図２Ｄを参照されたい。本実施例のコレステリック液晶装置１１は絶縁層１１７を更に備えており、且つ第２の透明導電層１１５、絶縁層１１７及び光検出アレイ層１２がコレステリック液晶層１１３に向けるよう第２の基板１１２の表面に順次積層される。
【００４６】
また、図２Ａ及び図２Ｄに示すように、本実施例のコレステリック液晶ライティング・ボード１はベース板Ｂを更に備えており、ベース板Ｂは光出射面Ａ２に向けるよう第２の基板１１２の側に設けられる。ここで、ベース板Ｂは黒色の光吸収板又は白色の光反射板とすることができる。ベース板Ｂが黒色の光吸収板であるとき、コレステリック液晶装置１１を透過した光を吸収して、コレステリック液晶ライティング・ボード１が黒板となる。一部実施例において、黒色光吸収板の材料は液晶表示装置のブラックマトリクス（ｂｌａｃｋ ｍａｔｒｉｘ）の材料と同じとすることができる。また、ベース板Ｂが白色の光反射板であるとき、コレステリック液晶装置１１を透過して光を反射して、コレステリック液晶ライティング・ボード１が白板となる。一部実施例において、白色光反射板の材料は例えば金属、金属酸化物、高反射塗料（白色塗料）、又はその組み合わせを含むことができるが、本発明はこれらに限定されない。又は、異なる実施例において、ベース板Ｂの色も黒色又は白色に限定することなく、その他色又は複数色の組合わせとすることができる。
【００４７】
本発明が提供するコレステリック液晶ライティング・ボードの異なる実施例の構造概略図である図４Ａないし図４Ｄをそれぞれ参照されたい。ここで、図４Ａないし図４Ｄには、検出信号処理回路１３及び電圧制御回路１４は図示していない。
【００４８】
図４Ａに示すように、本実施例のコレステリック液晶ライティング・ボード１ａと前記実施例のコレステリック液晶ライティング・ボード１とはその構成要素及び各構成要素の接続関係は概ね同じである。相違点は、本実施例のコレステリック液晶ライティング・ボード１ａには絶縁層１１７を備えず、第２の透明導電層１１５はコレステリック液晶層１１３に向けるよう第２の基板１１２の表面上に設けられ、且つ光検出アレイ層１２はコレステリック液晶層１１３に背けるよう第２の基板１１２の表面上に設けられるとともに、第２の基板１１２とベース板Ｂとの間に位置するところである。
【００４９】
図４Ｂに示すように、本実施例のコレステリック液晶ライティング・ボード１ｂと前記実施例のコレステリック液晶ライティング・ボード１とはその構成要素及び各構成要素の接続関係は概ね同じである。相違点は、本実施例のコレステリック液晶ライティング・ボード１ｂにて、光検出アレイ層１２は第３の基板１２０を更に備えており、そしてアレイ配置される光検出素子１２１１が第２の基板１１２に向けるよう第３の基板１２０の表面に設けられており、且つ光検出アレイ層１２がコレステリック液晶層１１３に背けるよう第２の基板１１２の側に設けられる。つまり、光検出アレイ層１２はコレステリック液晶装置１１の外に設けられ、且つ光出射面Ａ２に向けるようコレステリック液晶装置１１の側に位置する。本実施例において、第３の基板１２０で選択できる材質は前述した実施例におけるコレステリック液晶ライティング・ボード１の第１の基板１１１及び第２の基板１１２の選択範囲と同じであって、軟質透光性基材又は硬質透光性基材とすることができる。
【００５０】
図４Ｃに示すように、本実施例のコレステリック液晶ライティング・ボード１ｃと前記実施例のコレステリック液晶ライティング・ボード１とはその構成要素及び各構成要素の接続関係は概ね同じである。相違点は、本実施例のコレステリック液晶ライティング・ボード１ｃには、ベース板Ｂが設けられていないところである。そして第１の基板１１１は透光性基板とするが、第２の基板１１２ｃは黒色の光吸収板又は白色の光反射板とすることができる。つまり、本実施例の第２の基板１１２ｃは前述した実施例における第２の基板１１２とベース板Ｂとの機能を同時に備える。
【００５１】
図４Ｄに示すように、本実施例のコレステリック液晶ライティング・ボード１ｄと前記実施例のコレステリック液晶ライティング・ボード１とはその構成要素及び各構成要素の接続関係は概ね同じである。相違点は、本実施例のコレステリック液晶ライティング・ボード１ｄにも、ベース板Ｂが設けられていないところである。光検出アレイ層１２ｄは第３の基板１２０ｄを更に備えており、そしてアレイ配置される光検出素子１２１１が第２の基板１１２に向けるよう第３の基板１２０ｄの表面に設けられており、そして光検出アレイ層１２ｄがコレステリック液晶層１１３に背けるよう第２の基板１１２の側に設けられる。つまり、光検出アレイ層１２ｄはコレステリック液晶装置１１の外に設けられ、且つ光出射面Ａ２に向けるようコレステリック液晶装置１１の側に位置する。同時に、第１の基板１１１及び第２の基板１１２はいずれも透光性基板とするが、第３の基板１２０ｄは黒色の光吸収板又は白色の光反射板、又はその他色の板材とすることができる。つまり、本実施例において、第３の基板１２０ｄは前述した実施例における第３の基板１２０とベース板Ｂとの機能を同時に備える。光検出アレイ層１２ｄはコレステリック液晶装置１１の外に設けられているため、よって、第２の基板１１２上には絶縁層を設ける必要がない。
【００５２】
上記をまとめるに、本発明のコレステリック液晶ライティング・ボードにおいて、コレステリック液晶装置は複数の液晶制御領域を備えており、そしてアレイ配置される複数の光検出領域を含む光検出アレイ層がコレステリック液晶装置の光出射面の側に設けられる。光検出領域における一つの光検出素子は光通過量の変化を検出するとともにこれに基づいて検出信号を発生し、且つ光検出領域は少なくとも一つ以上の液晶制御領域に対応する。検出信号処理回路はこの検出信号を受信するとともにこれに基づき光検出アレイ層で光検出素子の位置データを出力する。電圧制御回路はこの位置データを受信するとともにこれに基づいて電圧信号を位置データが対応する液晶制御領域に出力することで、一部又は全部の前記複数の液晶制御領域が対応するコレステリック液晶の状態を変化させて、これにより一部分又は全部の書込み跡を消去する。これにより、本発明のコレステリック液晶ライティング・ボードはコレステリック液晶の特性を用いており、省電力効果を達成することができる以外に、更に一部を消すことができ、これによりコレステリック液晶ライティング・ボードの授業又は会議上での応用を拡大する。
【００５３】
上記は単に例示に過ぎず、限定するものではない。本発明の技術思想及び範囲を超えることなく、これに対して行う等価の修正又は変更のいずれも、別紙の特許請求の範囲に含まれるものである。
【産業上の利用可能性】
【００５４】
本発明では以上の構成により、コレステリック液晶ライティング・ボードを提供する。光検出アレイ層を設けることで、光検出アレイ層中の光検出素子は光通過量の変化を検出するとともに、これに基づいて検出信号が発生して、これによりコレステリック液晶ライティング・ボードは表示スクリーン上の対応するブロックのコレステリック液晶に状態変化発生するように制御して、ひいてはこれに基づいて一部分又は全部の書込み跡を消去することができる。これにより、このようなコレステリック液晶ライティング・ボードは、省電力以外に、使用者の動作に基づいて表示画面上の対応する部分を消去する効果を達成することができる。
【符号の説明】
【００５５】
１、１ａ、１ｂ、１ｃ、１ｄ            コレステリック液晶ライティング・ボード
１１、１１ａ、１１ｂ、１１ｃ、１１ｄ  コレステリック液晶装置
１１１                                第１の基板
１１２、１１２ｃ                      第２の基板
１１３                                コレステリック液晶層
１１４                                第１の透明導電層
１１４１                              第１の電極、電極ブロック
１１５                                第２の透明導電層
１１５１、１１５１’                  第２の電極、電極ブロック
１１７                                絶縁層
１１８、１１８’                      液晶制御領域
１２、１２ｄ                          光検出アレイ層
１２０、１２０ｄ                      第３の基板
１２１                                光検出領域
１２１１、１２１１’                  光検出素子
１２１２                              スイッチング素子
１３                                  検出信号処理回路
１４                                  電圧制御回路
Ａ−Ａ                                直線
Ａ１                                  光入射面
Ａ２                                  光出射面
Ｂ                                    ベース板
Ｃｓ                                  位置データ
Ｄ１                                  第１の方向
Ｄ２                                  第２の方向
Ｄｓ                                  電圧信号
Ｌ                                    光
Ｐ                                    照射領域
Ｒｍ、Ｒｍ+１                        読取り線
Ｓ                                    書込み跡
Ｓｓ                                  検出信号
ＵＰｎ                                アップロード線
Ｖｒｅｆ                              基準電圧
【図１Ａ】
2019168689.tif 000003
【図１Ｂ】
2019168689.tif 000004
【図１Ｃ】
2019168689.tif 000005
【図２Ａ】
2019168689.tif 000006
【図２Ｂ】
2019168689.tif 000007
【図２Ｃ】
2019168689.tif 000008
【図２Ｄ】
2019168689.tif 000009
【図２Ｅ】
2019168689.tif 000010
【図３Ａ】
2019168689.tif 000011
【図３Ｂ】
2019168689.tif 000012
【図３Ｃ】
2019168689.tif 000013
【図３Ｄ】
2019168689.tif 000014
【図３Ｅ】
2019168689.tif 000015
【図４Ａ】
2019168689.tif 000016
【図４Ｂ】
2019168689.tif 000017
【図４Ｃ】
2019168689.tif 000018
【図４Ｄ】
2019168689.tif 000019